(57)【要約】【課題】自機の属性に関する機器情報をネットワークに接続される他の機器に出力することにより、ネットワーク上に接続される機器を認識させるネットワークシステムにおいて、機器情報の送出間隔を適切に設定する。【解決手段】自機が保持している機器リストを参照し、自機がモバイル機器である場合（Ｓ１０２）、リスト上に何の機器もない場合（Ｓ１０４）、リスト上に機器があってもその中にモバイル機器が含まれる場合（Ｓ１０５）は、パケット送出間隔を比較的短く設定し、その他の場合は、パケット送出間隔を比較的長く設定する。【選択図】　図５
2004146983.tif 000002
【特許請求の範囲】
【請求項１】
ネットワークに接続可能で、前記ネットワークに接続される他の機器との間で情報の送受信が可能なネットワーク端末であり、
自機の属性に関する自機情報を生成し、生成した前記自機情報を前記ネットワークを介して前記他の機器に送出する自機情報送出手段と、
前記ネットワークに接続される前記他の機器において前記他の機器の属性に関する情報として生成され、前記他の機器から送出される他機情報を受信して前記ネットワークに接続される自機を除いた全ての機器の属性に関する情報を含むリストを作成するリスト作成手段と、
前記リスト作成手段における前記他の機器からの前記他機情報の受信状態に応じて、前記自機情報送出手段が送出する前記自機情報の送出間隔を設定する送出間隔設定手段とを備え、
前記ネットワークに自機以外の機器が接続されていないと認識した場合には、前記自機情報の送出間隔を第１の時間間隔に設定し、前記ネットワークに自機以外の機器が接続されていると認識した場合には、前記自機情報の送出間隔を第１の時間間隔より長い第２の時間間隔に設定するようにしたことを特徴とするネットワーク端末。
【請求項２】
ネットワークに接続可能で、前記ネットワークに接続される他の機器との間で情報の送受信が可能なネットワーク端末であり、
自機の属性に関する自機情報を生成し、生成した前記自機情報を前記ネットワークを介して前記他の機器に送出する自機情報送出手段と、
前記ネットワークに接続される前記他の機器において前記他の機器の属性に関する情報として生成され、前記他の機器から送出される他機情報を受信して前記ネットワークに接続される自機を除いた全ての機器に関する情報を含むリストを作成するリスト作成手段と、
前記リスト作成手段が作成したリストの内容に応じて、前記自機情報送出手段が送出する前記自機情報の送出間隔を設定する送出間隔設定手段とを備え、
前記リスト作成手段が作成した前記リストに基づき、前記ネットワークにモバイル機器が接続されていると認識した場合には、前記自機情報の送出間隔を第１の時間間隔に設定し、前記ネットワークにモバイル機器が接続されていないと認識した場合には、前記自機情報の送出間隔を前記第１の時間間隔より長い第２の時間間隔に設定するようにしたことを特徴とするネットワーク端末。
【請求項３】
情報の送受信が可能な複数の機器がネットワークを介して相互に接続されるネットワークシステムの運用方法であり、
前記複数の機器は、夫々、
自機の属性に関する自機情報を生成し、生成した前記自機情報を前記ネットワークに接続される他の機器に送出すると共に、前記ネットワークに接続される前記相互に接続される他の機器において前記他の機器の属性に関する情報として生成され、前記他の機器から送出される他機情報を受信して前記ネットワークに接続される自機を除いた全ての機器に関する情報を含むリストを作成し、
前記他の機器からの前記他機情報の受信状態に応じて、前記ネットワークに自機以外の機器が接続されていないと認識した場合には、前記自機情報の送出間隔を第１の時間間隔に設定し、前記ネットワークに自機以外の機器が接続されていると認識した場合には、前記自機情報の送出間隔を第１の時間間隔より長い第２の時間間隔に設定するようにしたことを特徴とするネットワークシステムの運用方法。
【請求項４】
情報の送受信が可能な複数の機器がネットワークを介して相互に接続されるネットワークシステムの運用方法であり、
前記複数の機器は、夫々、
自機の属性に関する自機情報を生成し、生成した前記自機情報を前記ネットワークに接続される他の機器に送出すると共に、前記ネットワークに接続される前記相互に接続される他の機器において前記他の機器の属性に関する情報として生成され、前記他の機器から送出される他機情報を受信して前記ネットワークに接続される自機を除いた全ての機器に関する情報を含むリストを作成し、
前記リストを参照することにより、前記ネットワークにモバイル機器が接続されていると認識した場合には、前記自機情報の送出間隔を第１の時間間隔に設定し、前記ネットワークにモバイル機器が接続されていないと認識した場合には、前記自機情報の送出間隔を前記第１の時間間隔より長い第２の時間間隔に設定するようにしたことを特徴とするネットワークシステムの運用方法。
【発明の詳細な説明】
【０００１】
【発明の属する技術分野】
ネットワークに接続され、ネットワークを介して情報の送受信が可能なネットワーク端末、及びこのネットワークシステムの運用方法に関する。
【０００２】
【従来の技術】
家庭内に設置される複数の機器を接続し、映像音声信号や制御信号を互いに送受信できるようにするネットワークシステムとして、ＩＥＥＥ１３９４規格に準拠したシリアルバスを利用したネットワークシステム、イーサーネット（登録商標）を利用したネットワークシステム等が知られている。
【０００３】
ここで、ＩＥＥＥ１３９４規格に準拠したシリアルバスを利用したネットワークシステムでは、ネットワークに接続される機器に変更があると、この機器変更に伴いバスの初期化が行われ、ネットワークに接続される全ての機器が新たに認識される。従って、ネットワークに新たな機器が接続されたり、ネットワークから切断された機器があっても、ネットワーク上では、接続されている全ての機器に関して常に最新の情報を保持しておくことができる。
【０００４】
一方、イーサーネットでは、接続される機器に変更があっても、これに伴って接続されている全ての機器を新たに検出する処理は行われない。つまり、ネットワークに新たな機器が接続されたり、ネットワークから切断された機器があっても、この機器変更に伴って、接続機器の検出は行われない。
【０００５】
そこで、イーサーネット等、機器変更に伴って接続機器の検出を行わないネットワークシステムでは、ネットワークに接続される各機器が、自機のＩＰアドレスや機器情報を示すアナウンスパケットを他の機器に所定時間間隔で出力し、このアナウンスパケットの受信状態を監視することで、接続されている機器を把握できるようにする方法が考えられている。
【０００６】
更に、このアナウンスパケットによるネットワークの帯域占有を考慮し、ネットワーク上で使用されている帯域の量（リソース量）を検出して、この使用されている帯域の量に応じて、アナウンスパケットの送出間隔を変更するようにする方法が考えられていた。
【０００７】
【特許文献１】
特開２０００―１９４６２７号公報
【０００８】
【発明が解決しようとする課題】
ところが、このような従来の方法は、単に使用されている帯域の量に応じてパケットの送出間隔を変更したものであり、接続されている機器の種別や接続機器の状態を考慮したものではなかった。
【０００９】
以上のような問題点に鑑み、本発明は、ネットワークに接続される機器の種別やその状態を考慮して、最適なパケット送出間隔を設定できるようにしたネットワーク端末及びネットワークシステムの運用方法を提供することを目的とする。
【００１０】
【課題を解決するための手段】
以上の課題を解決するために、本発明に係るネットワーク端末は、
ネットワークに接続可能で、前記ネットワークに接続される他の機器との間で情報の送受信が可能なネットワーク端末であり、
自機の属性に関する自機情報を生成し、生成した前記自機情報を前記ネットワークを介して前記他の機器に送出する自機情報送出手段と、
前記ネットワークに接続される前記他の機器において前記他の機器の属性に関する情報として生成され、前記他の機器から送出される他機情報を受信して前記ネットワークに接続される自機を除いた全ての機器の属性に関する情報を含むリストを作成するリスト作成手段と、
前記リスト作成手段における前記他の機器からの前記他機情報の受信状態に応じて、前記自機情報送出手段が送出する前記自機情報の送出間隔を設定する送出間隔設定手段とを備え、
前記ネットワークに自機以外の機器が接続されていないと認識した場合には、前記自機情報の送出間隔を第１の時間間隔に設定し、前記ネットワークに自機以外の機器が接続されていると認識した場合には、前記自機情報の送出間隔を第１の時間間隔より長い第２の時間間隔に設定するようにしたことを特徴とするものである。
【００１１】
また、本発明に係るネットワーク端末は、
ネットワークに接続可能で、前記ネットワークに接続される他の機器との間で情報の送受信が可能なネットワーク端末であり、
自機の属性に関する自機情報を生成し、生成した前記自機情報を前記ネットワークを介して前記他の機器に送出する自機情報送出手段と、
前記ネットワークに接続される前記他の機器において前記他の機器の属性に関する情報として生成され、前記他の機器から送出される他機情報を受信して前記ネットワークに接続される自機を除いた全ての機器に関する情報を含むリストを作成するリスト作成手段と、
前記リスト作成手段が作成したリストの内容に応じて、前記自機情報送出手段が送出する前記自機情報の送出間隔を設定する送出間隔設定手段とを備え、
前記リスト作成手段が作成した前記リストに基づき、前記ネットワークにモバイル機器が接続されていると認識した場合には、前記自機情報の送出間隔を第１の時間間隔に設定し、前記ネットワークにモバイル機器が接続されていないと認識した場合には、前記自機情報の送出間隔を前記第１の時間間隔より長い第２の時間間隔に設定するようにしたことを特徴とするものである。
【００１２】
また、本発明に係るネットワークシステムの運用方法は、
情報の送受信が可能な複数の機器がネットワークを介して相互に接続されるネットワークシステムの運用方法であり、
前記複数の機器は、夫々、
自機の属性に関する自機情報を生成し、生成した前記自機情報を前記ネットワークに接続される他の機器に送出すると共に、前記ネットワークに接続される前記相互に接続される他の機器において前記他の機器の属性に関する情報として生成され、前記他の機器から送出される他機情報を受信して前記ネットワークに接続される自機を除いた全ての機器に関する情報を含むリストを作成し、
前記他の機器からの前記他機情報の受信状態に応じて、前記ネットワークに自機以外の機器が接続されていないと認識した場合には、前記自機情報の送出間隔を第１の時間間隔に設定し、前記ネットワークに自機以外の機器が接続されていると認識した場合には、前記自機情報の送出間隔を第１の時間間隔より長い第２の時間間隔に設定するようにしたことを特徴とするものである。
【００１３】
また、本発明に係るネットワークシステムの運用方法は、
情報の送受信が可能な複数の機器がネットワークを介して相互に接続されるネットワークシステムの運用方法であり、
前記複数の機器は、夫々、
自機の属性に関する自機情報を生成し、生成した前記自機情報を前記ネットワークに接続される他の機器に送出すると共に、前記ネットワークに接続される前記相互に接続される他の機器において前記他の機器の属性に関する情報として生成され、前記他の機器から送出される他機情報を受信して前記ネットワークに接続される自機を除いた全ての機器に関する情報を含むリストを作成し、
前記リストを参照することにより、前記ネットワークにモバイル機器が接続されていると認識した場合には、前記自機情報の送出間隔を第１の時間間隔に設定し、前記ネットワークにモバイル機器が接続されていないと認識した場合には、前記自機情報の送出間隔を前記第１の時間間隔より長い第２の時間間隔に設定するようにしたことを特徴とするものである。
【００１４】
【発明の実施の形態】
以下、本発明の実施の形態につき、好ましい実施例により説明する。
図１は、本発明の実施例に係るネットワーク端末及びネットワークシステムの運用方法を説明するためのシステム全体図であり、１０、２０、３０は夫々ネットワークに接続される第１の機器、第２の機器、第３の機器、４０はこれら機器の中継器の役割を果たすハブである。つまり、第１の機器１０、第２の機器２０、第３の機器３０は、夫々、ハブ４０を介して他の機器と接続される。
【００１５】
ここで、ネットワークに接続される各機器は、少なくとも自機の機器名、ＩＰアドレス、機器種別等の属性情報を含むアナウンスパケットを後述する如く設定される時間間隔で送出し、各機器は、自機以外の他の機器から送出されるアナウンスパケットを受信することによりネットワークに接続される自機以外の機器に関する機器リストを作成する。なお、このように機器リストに自機の属性情報を加えて、ネットワークに接続される全ての機器の属性に関する機器リストを作成するようにしても良い。ここで、アナウンスパケットは、ＩＰアドレスが不明である機器に対しても送出されるよう、マルチキャストの形態にて送出される。また、電源がオフになっている機器からは、このアナウンスパケットは送出されない。
【００１６】
図２は、ネットワークに接続される機器の構成の一例を示すものであり、ここでは、第１の機器１０の構成について示している。図２において、１０ａはネットワークを介して各種のパケットの送受信を行うパケット送受信部、１０ｂは制御部１０ｃの制御に基づき、パケット送受信部１０ａにて受信したアナウンスパケットから機器リストを作成し、更に、受信したアナウンスパケットの内容に応じて機器リストを更新保持する機器リスト作成保持部である。
【００１７】
また、１０ｃは、第１の機器１０内の各部の動作制御、機器リスト作成、機器リスト更新に関する制御を行う制御部、１０ｄはパケット送受信部を介して受信した情報パケットを記録再生する記録再生部、１０ｅは、第１の機器１０の属性に関するアナウンスパケットを生成するアナウンスパケット生成部である。
【００１８】
なお、図示しないが第２の機器２０及び第３の機器３０も、第１の機器１０のパケット送受信部１０ａ、機器リスト作成保持部１０ｂ、制御部１０ｃ、アナウンスパケット生成部１０ｅに相当する構成を備え、各種パケットの送受信が行えるよう構成される。
【００１９】
次に、図３乃至５を併用して、本発明の実施例に係るネットワーク端末及びネットワークシステムの運用方法について説明する。なお、ここでは、第１の機器１０はＶＣＲ、第２の機器２０はＳＴＢ（セットトップボックス）、第３の機器３０はモバイル機器であるものとして説明をする。
【００２０】
図３は、モバイル機器である第３の機器３０がネットワークから切断されている状態において、各機器内に作成されている機器リストの一例、図４は、モバイル機器である第３の機器３０がネットワークに接続されている状態において、各機器内に作成されている機器リストの一例を示すものである。また、図５は、各機器におけるアナウンスパケットの送出間隔の決定方法、図６は、第３の機器３０をネットワークに接続し、その後ネットワークから切断させた際の各機器のアナウンスパケットの送出間隔の変化を示す図である。
【００２１】
前述の如く、図１に示した各機器は、他の機器から送出されるアナウンスパケットを受信し、これに基づき自機の機器リストを作成するため、第３の機器３０がネットワークから切断されている状態では、第１の機器１０の機器リストには、図３（ａ）に示す如く第２の機器２０に関する情報が含まれており、第２の機器２０の機器リストには、図３（ｂ）に示す如く第１の機器１０に関する情報が含まれている。また、第３の機器３０は、この時点ではネットワークに接続されていないため、第３の機器３０の機器リストには、図３（ｃ）に示す如く他の機器に関する情報はない。
【００２２】
そして、各機器におけるアナウンスパケットの送出間隔は、図５で示す如く方法にて決定される。第１の機器１０及び第２の機器２０は、前述の如く、夫々ＶＣＲ及びＳＴＢであり、モバイル機器ではない（Ｓ１０２の分岐にてＮ）。更に、図３（ａ）及び（ｂ）に示す如く、自機の機器リストに他の機器に関する情報があり（Ｓ１０４の分岐にてＹ）、自機の機器リストにモバイル機器に関する情報がない（Ｓ１０５の分岐にてＮ）。
【００２３】
従って、これら第１の機器１０及び第２の機器２０におけるアナウンスパケットの送出間隔は１０秒に設定される。一方、第３の機器３０は、モバイル機器であるため（Ｓ１０２の分岐にてＹ）、アナウンスパケットの送出間隔が３秒に設定される。なお、ここでモバイル機器とは、ＰＤＡ（Ｐｅｒｓｏｎａｌ　Ｄｉｇｉｔａｌ　Ａｓｓｉｓｔａｎｔ）や携帯電話等の携帯端末、デジタルスチルカメラやビデオカメラ等、所定の場所での設置使用のみならず、屋内や屋外を含め、ユーザと共に持ち運んでの使用を想定した機器を意味する。
【００２４】
このようにして、図１に示される各機器のアナウンスパケットの送出間隔は、図５に示される流れ図に沿って設定されるが、第３の機器３０をネットワークへ接続すると、第１の機器１０及び第２の機器２０におけるアナウンスパケットの送出間隔が図６に示す如く変更される。
【００２５】
図６において、▲１▼から▲４▼は、第３の機器３０をネットワークに接続したことに伴う各機器におけるアナウンスパケットの送出間隔の変化を示しており、▲５▼及び▲６▼は、その後、第３の機器３０をネットワークから切断した際の各機器におけるアナウンスパケットの送出間隔の変化を示している。
【００２６】
図６▲１▼に示す如く、第３の機器３０がネットワークから切断されている状態では、前述の如く、第１の機器１０及び第２の機器２０におけるアナウンスパケットの送出間隔は１０秒（長い間隔）に設定されている一方、第３の機器（モバイル機器）３０におけるアナウンスパケットの送出間隔は３秒（短い間隔）に設定されている。
【００２７】
そして、▲２▼に示す如く第３の機器（モバイル機器）３０がネットワークに接続され、更に▲３▼に示す如く第３の機器（モバイル機器）３０がアナウンスパケットを送出すると、第１の機器（ＶＣＲ）１０及び第２の機器（ＳＴＢ）２０は、第３の機器（モバイル機器）３０の存在を検出し、更に、受信したアナウンスパケットに基づき、自機の機器リストを更新する。
【００２８】
つまり、第１の機器１０及び第２の機器２０における機器リストが、この時点で図４（ａ）及び（ｂ）に示す如く変更され、更に、機器リスト上にモバイル機器が追加されるため、図５で示した分岐Ｓ１０５にてＹとなり、アナウンスパケットの送出間隔が１０秒（長い間隔）から３秒（短い間隔）へと変更される。
【００２９】
また、第１の機器１０及び第２の機器２０において、新たな機器として第３の機器３０が検出されると、第１の機器１０及び第２の機器２０は、その時点でアナウンスパケットを送出する。そして、第１の機器１０及び第２の機器２０から送出されるアナウンスパケットを第３の機器３０が受信すると、第３の機器３０における機器リストが、この時点で図４（ｃ）に示す如く変更される。しかし、モバイル機器は、図５の分岐Ｓ１０２に示す如く、自機内の機器リストの内容とは無関係に、常にアナウンスパケットの送出間隔を３秒とするため、アナウンスパケットの送出間隔の変更は行われない。
【００３０】
このように、第３の機器（モバイル機器）３０をネットワークに接続されていない状態からネットワークに接続されている状態へと変化させると、各機器における機器リストが変更され、これに伴い、第１の機器１０及び第２の機器２０におけるアナウンスパケットの送出間隔が短い間隔へと変更される。
【００３１】
一方、図６▲５▼に示す如く、第３の機器３０の電源をオンとしたままネットワークから切断すると、第３の機器３０は、これまで第１の機器１０及び第２の機器２０から所定時間間隔で受信していたアナウンスパケットを受信できなくなる。また、第１の機器１０及び第２の機器２０は、第３の機器３０から所定時間間隔で受信していたアナウンスパケットを受信できなくなる。
【００３２】
そして、これらの機器において、他の機器から所定時間間隔で受信していたアナウンスパケットが受信できない状態が続くと、▲６▼に示す如く、各機器は受信できなくなったアナウンスパケットを送出していた機器又は自機がネットワークから切断されたと見なして機器リストの変更を行う。
【００３３】
ここで、ある機器がネットワークから切断されなくても、前述の如く、電源がオフとされれば、アナウンスパケットは送出されなくなる。しかし、ネットワークに接続される機器が電源オフとされる際は、電源をオフにする旨のパケットをネットワーク上の他の機器に送出したうえで、電源がオフとされる。従って、アナウンスパケットを受信できなくなる以前に、電源をオフとする旨のパケットを受信していたか否かに応じて、電源がオフとされた状態と、ネットワークから切断された状態とを見分けることができる。
【００３４】
また、ここで、ネットワークに接続される他の機器からパケットを受信し、その後この他の機器又は自機がネットワークから切断されたと見なせるまでに必要となる所定時間は、それまでのアナウンスパケットの送出間隔に依存している。一例として、３秒間隔でアナウンスパケットを受信していた場合には、アナウンスパケットを受信しないまま６秒が経過した時点で、ネットワークからの切断されたものと見なし、１０秒間隔でアナウンスパケットを受信していた場合には、アナウンスパケットを受信しないまま２０秒が経過した時点で、ネットワークから切断されたものと見なすことができる。
【００３５】
以上の如く、本実施例に係るネットワーク端末及びネットワークシステムの運用方法では、自機がモバイル機器であるか否かに応じて、送出するアナウンスパケットの送出間隔が変更され、また、自機の機器リスト上に他の機器の情報が存在するか否かに応じて送出するアナウンスパケットの送出間隔が変更され、更に、自機の機器リスト上にモバイル機器があるか否かに応じて送出するアナウンスパケットの送出間隔が変更される。
【００３６】
そして、自機がモバイル機器である場合に、アナウンスパケットの送出間隔が短く設定され、自機がモバイル機器でない場合に、アナウンスパケットの送出間隔が長く設定される。従って、ネットワーク上に接続される各機器は、ネットワークへの接続とネットワークからの切断が頻繁に行われることが予想されるモバイル機器の接続状態を素早く認識することができる。
【００３７】
また、本実施例に係るネットワーク端末及びネットワークシステムの運用方法では、自機の機器リスト上に、他の機器が存在しない場合、又は存在してもモバイル機器が含まれる場合に、アナウンスパケットの送出間隔が短く設定され、自機の機器リスト上に他の機器が存在するが、モバイル機器が含まれない場合に、アナウンスパケットの送出間隔が長く設定される。
【００３８】
従って、自機がネットワークに接続されていない状態からネットワークに接続されている状態へと移行した際に、この接続を、ネットワークに接続される他の機器に素早く認識させることができるばかりでなく、モバイル機器と共にネットワークに接続されている状態においては、このモバイル機器がネットワークから切断された際に、このモバイル機器の切断を、モバイル機器に素早く認識させることができる。
【００３９】
更には、自機の機器リスト上に他の機器が存在するが、モバイル機器が含まれない場合に、アナウンスパケットの送出間隔が長く設定されるため、各機器から送出されるアナウンスパケットによる帯域占有を防止でき、映像音声信号の良好な送受信が行える。
【００４０】
なお、以上に示した実施例によれば、自機がモバイル機器であるか否かと、機器リスト上に他の機器の情報が存在するか否かと、更には、他の機器の情報が存在する場合には、そこにモバイル機器が含まれるか否かを加味して、アナウンスパケットの送出間隔を設定したが、図７に示す如く、単に機器リスト上に他の機器があるか否かに応じて送出するアナウンスパケットの送出間隔を変更しても良く、図８に示す如く、単に機器リスト上にモバイル機器があるか否かに応じて送出するアナウンスパケットの送出間隔を変更しても良い。
【００４１】
例えば、図７に示す例では、自機の機器リスト上に他の機器が存在する場合には、アナウンスパケットの送出間隔が長く設定され、自機の機器リスト上に他の機器が存在しない場合には、アナウンスパケットの送出間隔が短く設定される。
【００４２】
従って、図１において、第３の機器３０をネットワークに接続されていない状態からネットワークに接続されている状態へと移行させることを想定すると、ネットワークに接続されていない状態では、第３の機器３０のアナウンスパケットの送出間隔が短く設定されているため、第３の機器３０をネットワークに接続した際に、第１の機器１０及び第２の機器２０に第３の機器３０の接続を素早く認識させることができる。
【００４３】
また、第３の機器３０がネットワークに接続されている状態では、各機器から送出されるアナウンスパケットの送出間隔が長く設定されているため、このアナウンスパケットによる帯域占有を防止でき、映像音声信号の良好な送受信が行える。
【００４４】
一方、図８に示す例では、自機の機器リスト上にモバイル機器が存在する場合には、アナウンスパケットの送出間隔が短い時間間隔に設定され、自機の機器リスト上にモバイル機器が存在しない場合には、アナウンスパケットの送出間隔が長い時間間隔に設定される。
【００４５】
従って、図１において、第３の機器３０をネットワークに接続し、その後ネットワークから切断させる場合を想定すると、ネットワークに接続されている状態では、第１の機器１０及び第２の機器２０のアナウンスパケットの送出間隔が短く設定されているため、第３の機器３０がネットワークから切断された際に、第３の機器３０にこの切断を素早く認識させることができる。
【００４６】
【発明の効果】
本発明によれば、ネットワーク上に接続される機器から送出される機器情報を受信し、この機器情報受信状態や機器情報の内容に応じて自機の機器情報の送出間隔が変更されるため、接続される機器の状態や種別に応じた適切な送出間隔を設定でき、各機器から送出されるアナウンスパケットによる帯域占有を防止しつつ、映像音声信号の良好な送受信が行えるという効果を奏する。
【図面の簡単な説明】
【図１】本発明の実施例に係るネットワークシステムを示す全体図。
【図２】ネットワークに接続される機器の構成の一例を示す図。
【図３】各機器内に作成されている機器リストの一例
【図４】各機器内に作成されている機器リストの他の一例
【図５】各機器におけるアナウンスパケットの送出間隔の決定方法
【図６】機器接続及び機器切断に伴うアナウンスパケットの送出間隔の変化を示す図である。
【図７】ネットワークに他の機器が存在するか否かに応じて送出するアナウンスパケットの送出間隔を変更する実施例を説明するための図。
【図８】モバイル機器があるか否かに応じて送出するアナウンスパケットの送出間隔を変更する実施例を説明するための図。
【符号の説明】
１０…第１の機器
１０ａ…パケット送受信部
１０ｂ…機器リスト作成保持部
１０ｃ…制御部
１０ｄ…記録再生部
１０ｅ…アナウンスパケット生成部
２０…第２の機器
３０…第３の機器
【図１】
2004146983.tif 000003
【図２】
2004146983.tif 000004
【図３】
2004146983.tif 000005
【図４】
2004146983.tif 000006
【図５】
2004146983.tif 000007
【図６】
2004146983.tif 000008
【図７】
2004146983.tif 000009
【図８】
2004146983.tif 000010